(57)【要約】【課題】  縦長表示状態及び横長表示状態の切替に際して利便性を向上させることができる携帯電話機を提供することを目的とする。【解決手段】  メールアプリケーションプログラムが起動された状態で表示筐体２が回転され、（ａ）の縦長表示状態から（ｂ）の横長表示状態になった場合に、テレビアプリケーションプログラムを起動し、表示部２ａの表示画面を２つの表示領域２０ａ，２０ｂに分割する。左側の表示領域２０ａにはメールアプリケーションプログラムに基づく画像を表示し、右側の表示領域２０ｂには新たに起動されたテレビアプリケーションプログラムに基づくテレビ画像を表示する。これにより、横長表示状態では、縦長表示状態のときにアプリケーション表示領域２３に表示されていた画像を左側の表示領域２０ａに引き続き表示しつつ、右側の表示領域２０ｂに新たな表示を行うことができるので、利便性が向上する。【選択図】  図５
2008017373.tif 000002
【特許請求の範囲】
【請求項１】
長方形の表示画面が形成された筐体と、
ユーザに対する上記表示画面の配置方向を検出する方向検出手段と、
表示データをそれぞれ生成する３以上の表示データ生成手段と、
上記表示データを上記表示画面内に表示する表示制御手段とを備え、
上記表示制御手段は、上記方向検出手段による検出結果に基づいて、上記表示画面の長手方向を上下方向として表示する縦長表示状態及び上記表示画面の短手方向を上下方向として表示する横長表示状態を切り替える縦横表示切替手段と、
上記縦長表示状態において、上記表示画面内の第１表示領域を任意の上記表示データ生成手段に割り当てる縦長表示割当手段と、
上記横長表示状態において、上記表示画面を長手方向に並ぶ第２表示領域及び第３表示領域に分割する画面分割手段と、
上記第２表示領域を上記第１表示領域に割り当てられている表示データ生成手段に割り当てるとともに、上記第３表示領域を予め定められた表示データ生成手段に割り当てる横長表示割当手段とを備えたことを特徴とする携帯電話機。
【請求項２】
上記画面分割手段は、上記第２表示領域の横幅が上記第１表示領域の横幅と等しくなるように、上記表示画面を分割することを特徴とする請求項１に記載の携帯電話機。
【請求項３】
上記画面分割手段は、上記第２表示領域の縦幅が上記第１表示領域の横幅と等しく、上記第２表示領域の縦横比が上記第１表示領域の縦横比と等しくなるように、上記表示画面を分割することを特徴とする請求項１に記載の携帯電話機。
【請求項４】
同時に表示データを生成することが禁止される上記表示データ生成手段の組み合わせを保持する組み合わせ禁止テーブルと、
上記第３表示領域に割り当てられる表示データ生成手段として、２以上の上記表示データ生成手段の優先順位を保持する優先順位テーブルとを備え、
上記横長表示割当手段は、上記組み合わせ禁止テーブル及び上記優先順位テーブルに基づいて、上記第３表示領域に割り当てる表示データ生成手段を決定することを特徴とする請求項１に記載の携帯電話機。
【請求項５】
テレビ放送波を受信するテレビ放送受信手段と、
上記テレビ放送受信手段におけるテレビ放送波の受信感度を検出する受信感度検出手段と、
上記第３表示領域に割り当てられる表示データ生成手段として、２以上の上記表示データ生成手段の優先順位を保持する優先順位テーブルとを備え、
上記横長表示割当手段は、上記受信感度検出手段による検出結果及び上記優先順位テーブルに基づいて、上記第３表示領域に割り当てる表示データ生成手段を決定することを特徴とする請求項１に記載の携帯電話機。
【請求項６】
基地局との間で音声信号を送受信するセルラー通信手段と、
受信した音声信号に基づく音声を出力する第１音声出力手段と、
上記第１音声出力手段よりも音声を増幅して出力する第２音声出力手段と、
上記縦長表示状態のときには、受信した音声信号に基づく音声を上記第１音声出力手段から出力させ、上記縦長表示状態から上記横長表示状態に切り替わるのに基づいて、音声信号に基づく音声が上記第２音声出力手段から出力されるように切り替える音声制御手段とを備え、
上記第１表示領域及び上記第２表示領域に割り当てられる表示データ生成手段は、上記セルラー通信手段における音声信号の送信又は受信に関する表示データを生成することを特徴とする請求項１に記載の携帯電話機。
【発明の詳細な説明】
【技術分野】
【０００１】
本発明は、携帯電話機に係り、さらに詳しくは、長方形の表示画面が形成された筐体を備え、表示画面の長手方向を上下方向として表示する縦長表示状態及び表示画面の短手方向を上下方向として表示する横長表示状態に切替可能な携帯電話機に関する。
【背景技術】
【０００２】
表示画面内に各種表示を行うことができる表示筐体と、多数の操作キーが配置された操作筐体とを備え、表示筐体が表示画面に水平な面内で操作筐体により回転可能に保持された携帯電話機が知られている（例えば、特許文献１，２）。この種の携帯電話機では、例えば、表示画面が長方形に形成されており、操作筐体に対して表示筐体を回転させることにより、表示画面の長手方向を上下方向として表示する縦長表示状態と、表示画面の短手方向を上下方向として表示する横長表示状態とに切り替えて使用することができるようになっている。
【０００３】
このような携帯電話機を用いて、縦長表示状態及び横長表示状態の切替操作に基づいてアプリケーションプログラムを起動させることが考えられる。例えば、テレビ放送波を受信して表示画面にテレビ画像を表示させることができるような携帯電話機の場合には、縦長表示状態から横長表示状態への切替操作に基づいて、テレビ放送波を受信して表示画面にテレビ画像を表示させるためのアプリケーションプログラムを起動させることが考えられる。この場合、表示状態の切替操作に連動させて、横長表示状態の表示画面にテレビ画像を表示させることができるので、利便性が向上する。
【特許文献１】特開２００３−３１９０４３号公報
【特許文献２】特開２００４−２１５１８０号公報
【発明の開示】
【発明が解決しようとする課題】
【０００４】
あるアプリケーションプログラムを既に起動させている状態で、縦長表示状態及び横長表示状態の切替操作に基づいて他のアプリケーションプログラムを起動させるような構成を採用した場合には、２つのアプリケーションプログラムが同時に起動された状態となる。このような場合に、先に起動させていたアプリケーションプログラムに基づく表示から、新たに起動されたアプリケーションプログラムに基づく表示に切り替わると、先に起動させていたアプリケーションプログラムによる機能を良好に実現することができない場合がある。
【０００５】
例えば、縦長表示状態で電子メールの送受信を行うためのアプリケーションプログラムが起動されているときに、縦長表示状態から横長表示状態への切替操作に基づいて、テレビ放送波を受信して表示画面にテレビ画像を表示させるためのアプリケーションプログラムが起動されるような場合が考えられる。このような場合には、新たに起動されたアプリケーションプログラムに基づいて表示画面にテレビ画像が表示されるため、送信する電子メールの文字情報を入力したり、受信した電子メールの文字情報を閲覧したりするための画面を表示画面に表示させることができず、先に起動させていたアプリケーションプログラムによる電子メール機能を良好に実現することができない。
【０００６】
また、縦長表示状態及び横長表示状態の切替操作に基づいて新たに起動されるアプリケーションプログラムと既に起動されているアプリケーションプログラムとの組み合わせによっては、同時に起動状態にすると制御部の処理負荷が過大になるなど好ましくない場合がある。また、上記のように、テレビ放送波を受信して表示画面にテレビ画像を表示させるためのアプリケーションプログラムが新たに起動される場合には、テレビ放送波の受信感度が悪いときなどに、当該アプリケーションプログラムを新たに起動させてもテレビ画像が良好に表示されず、その機能を良好に実現することができない場合がある。このように、アプリケーションプログラムの種類によっては、縦長表示状態及び横長表示状態の切替操作時に起動すべきでない場合もある。
【０００７】
本発明は、上記の事情に鑑みてなされたものであり、縦長表示状態及び横長表示状態の切替に際して利便性を向上させることができる携帯電話機を提供することを目的とする。また、本発明は、縦長表示状態及び横長表示状態の切替に際して表示画面に対する表示を良好に行うことができる携帯電話機を提供することを目的とする。
【課題を解決するための手段】
【０００８】
第１の本発明による携帯電話機は、長方形の表示画面が形成された筐体と、ユーザに対する上記表示画面の配置方向を検出する方向検出手段と、表示データをそれぞれ生成する３以上の表示データ生成手段と、上記表示データを上記表示画面内に表示する表示制御手段とを備え、上記表示制御手段が、上記方向検出手段による検出結果に基づいて、上記表示画面の長手方向を上下方向として表示する縦長表示状態及び上記表示画面の短手方向を上下方向として表示する横長表示状態を切り替える縦横表示切替手段と、上記縦長表示状態において、上記表示画面内の第１表示領域を任意の上記表示データ生成手段に割り当てる縦長表示割当手段と、上記横長表示状態において、上記表示画面を長手方向に並ぶ第２表示領域及び第３表示領域に分割する画面分割手段と、上記第２表示領域を上記第１表示領域に割り当てられている表示データ生成手段に割り当てるとともに、上記第３表示領域を予め定められた表示データ生成手段に割り当てる横長表示割当手段とを備えて構成される。
【０００９】
このような構成によれば、縦長表示状態から横長表示状態に切り替わるのに基づいて、表示画面を第２表示領域及び第３表示領域に分割し、縦長表示状態のときに第１表示領域に表示する表示データを生成していた表示データ生成手段を用いて第２表示領域に対する表示を行うとともに、異なる表示データ生成手段を用いて第３表示領域に対する表示を行うことができる。これにより、横長表示状態における第２表示領域に、縦長表示状態のときに第１表示領域に表示されていた表示データを引き続き表示しつつ、第３表示領域に縦長表示状態から横長表示状態に切り替わるのに基づいて新たな表示を行うことができるので、利便性が向上する。
【００１０】
第２の本発明による携帯電話機は、上記構成に加えて、上記画面分割手段が、上記第２表示領域の横幅が上記第１表示領域の横幅と等しくなるように、上記表示画面を分割するように構成される。
【００１１】
このような構成によれば、縦長表示状態から横長表示状態に切り替えられる前後で、同じ横幅の第１表示領域から第２表示領域に引き続き表示を行うことができる。これにより、表示切替の前後で表示画像のレイアウトが大きく変化することに起因して、ユーザにとって表示が見づらくなるのを防止することができる。また、縦長表示状態と横長表示状態とで横幅の異なるレイアウトを用意する必要がないので、製造工程を簡略化することができる。
【００１２】
第３の本発明による携帯電話機は、上記構成に加えて、上記画面分割手段が、上記第２表示領域の縦幅が上記第１表示領域の横幅と等しく、上記第２表示領域の縦横比が上記第１表示領域の縦横比と等しくなるように、上記表示画面を分割するように構成される。
【００１３】
このような構成によれば、縦長表示状態から横長表示状態に切り替えられる際、第１表示領域に表示されていた画像を同じ縦横比で縮小して、第２表示領域に表示できる範囲で最大限に大きく表示させることができる。これにより、表示切替の前後で表示されている内容の範囲が変化することに起因して、ユーザにとって表示が見づらくなるのを防止することができる。
【００１４】
第４の本発明による携帯電話機は、上記構成に加えて、同時に表示データを生成することが禁止される上記表示データ生成手段の組み合わせを保持する組み合わせ禁止テーブルと、上記第３表示領域に割り当てられる表示データ生成手段として、２以上の上記表示データ生成手段の優先順位を保持する優先順位テーブルとを備え、上記横長表示割当手段が、上記組み合わせ禁止テーブル及び上記優先順位テーブルに基づいて、上記第３表示領域に割り当てる表示データ生成手段を決定するように構成される。
【００１５】
このような構成によれば、第３表示領域に表示させようとする表示データが、第２表示領域に表示させる表示データと同時に生成することが禁止されている場合に、優先順位テーブルに保持されている優先順位に基づいて、第３表示領域に対して別の表示データ生成手段による表示を行うことができる。これにより、第３表示領域に画像が表示されない状態が生じるのを防止できるので、表示画面に対する表示を良好に行うことができる。
【００１６】
第５の本発明による携帯電話機は、上記構成に加えて、テレビ放送波を受信するテレビ放送受信手段と、上記テレビ放送受信手段におけるテレビ放送波の受信感度を検出する受信感度検出手段と、上記第３表示領域に割り当てられる表示データ生成手段として、２以上の上記表示データ生成手段の優先順位を保持する優先順位テーブルとを備え、上記横長表示割当手段が、上記受信感度検出手段による検出結果及び上記優先順位テーブルに基づいて、上記第３表示領域に割り当てる表示データ生成手段を決定するように構成される。
【００１７】
このような構成によれば、テレビ放送波を良好に受信することができない場合に、優先順位テーブルに保持されている優先順位に基づいて、第３表示領域に対してテレビ放送波に基づく画像とは異なる表示を行うことができる。これにより、第３表示領域にテレビ放送波に基づく画像が良好に表示されない状態が生じるのを防止できるので、表示画面に対する表示を良好に行うことができる。
【００１８】
第６の本発明による携帯電話機は、上記構成に加えて、基地局との間で音声信号を送受信するセルラー通信手段と、受信した音声信号に基づく音声を出力する第１音声出力手段と、上記第１音声出力手段よりも音声を増幅して出力する第２音声出力手段と、上記縦長表示状態のときには、受信した音声信号に基づく音声を上記第１音声出力手段から出力させ、上記縦長表示状態から上記横長表示状態に切り替わるのに基づいて、音声信号に基づく音声が上記第２音声出力手段から出力されるように切り替える音声制御手段とを備え、上記第１表示領域及び上記第２表示領域に割り当てられる表示データ生成手段が、上記セルラー通信手段における音声信号の送信又は受信に関する表示データを生成するように構成される。
【００１９】
このような構成によれば、縦長表示状態で音声信号の送受信による通話が行われているときに、縦長表示状態から横長表示状態に切り替わるのに基づいて、音声信号に基づく音声の出力を第１音声出力手段から第２音声出力手段に切り替えることができる。これにより、第１音声出力手段から出力されていたときよりも音声が増幅されて第２音声出力手段から出力されるように自動的に切り替わり、ユーザは携帯電話機から耳を遠ざけて通話を行うことができるようになるので、利便性が向上する。
【発明の効果】
【００２０】
本発明によれば、縦長表示状態から横長表示状態に切り替わるのに基づいて、表示画面を第２表示領域及び第３表示領域に分割し、縦長表示状態のときに第１表示領域に表示する表示データを生成していた表示データ生成手段を用いて第２表示領域に対する表示を行うとともに、異なる表示データ生成手段を用いて第３表示領域に対する表示を行うことができるので、利便性が向上する。また、組み合わせ禁止テーブル及び優先順位テーブル、又は、受信感度検出手段による検出結果及び優先順位テーブルに基づいて、第３表示領域に割り当てる表示データ生成手段を決定することにより、第３表示領域に画像が良好に表示されない状態が生じるのを防止できるので、表示画面に対する表示を良好に行うことができる。
【発明を実施するための最良の形態】
【００２１】
実施の形態１．
図１は、本発明の実施の形態１による携帯電話機１の一例を示した斜視図であり、筐体を展開した状態を示している。この携帯電話機１は、いわゆる折り畳み式の携帯電話機であり、それぞれ薄型の直方体形状からなる表示筐体２及び操作筐体５がヒンジ部３を介して連結され、表示筐体２及び操作筐体５の各主面を対向させた状態でコンパクトに折り畳むことができるようになっている。
【００２２】
表示筐体２には、折り畳んだ状態で操作筐体５に対向する主面に表示部２ａ及び受話用レシーバ８が配置されている。表示部２ａは、長方形の表示画面を有する液晶表示器からなり、その長手方向が表示筐体２の長手方向と一致するように配置されている。受話用レシーバ８は、通話時に相手方電話機からの音声を出力するための第１音声出力手段であり、表示筐体２におけるヒンジ部３と反対側の端部に配置されている。
【００２３】
操作筐体５には、折り畳んだ状態で表示筐体２に対向する主面及び当該主面に対して右側の端面に、それぞれ複数の操作キーが配置されている。上記主面に配置されている複数の操作キー（以下、「主面キー４ａ」と呼ぶ。）は、数字を入力する際などに操作されるテンキー４ｃや、動作状況によって種々の機能が割り当てられるガイドキー４ｄを含む第１操作キー群を構成している。また、上記端面に配置されている複数の操作キー（以下、「端面キー４ｂ」と呼ぶ。）は、主面キー４ａよりも少ない操作キーからなる第２操作キー群を構成している。上記主面のヒンジ部３と反対側の端部には、通話時にユーザの音声を入力する音声入力手段としての送話用マイクロホン７が配置されている。
【００２４】
ヒンジ部３は、表示筐体２及び操作筐体５を可動連結する可動連結部であり、表示筐体２及び操作筐体５の各主面が対向するように折り畳み可能に連結している。また、表示筐体２は、表示部２ａの表示画面に対して垂直方向に延びる回転軸（不図示）を介して、ヒンジ部３に回転可能に連結されている。これにより、表示筐体２は、表示部２ａの表示画面に水平な面内で回転可能に保持され、操作筐体５に対する傾斜角度を保った状態で回転できるようになっている。
【００２５】
図２は、図１の携帯電話機１の表示筐体２を回転させた状態を示した斜視図であり、正面から見て図１の状態から時計回りに約４５°回転させた状態を示している。図３は、図１の携帯電話機１の表示筐体２を回転させた状態を示した斜視図であり、正面から見て図１の状態から時計回りに９０°回転させた状態を示している。
【００２６】
ユーザは、操作筐体５を把持した状態で、表示筐体２を表示部２ａの表示画面に水平な面内において９０°の角度範囲内で回転させることにより、図１に示した縦長表示状態と図３に示した横長表示状態との間で表示筐体２を回転させることができる。図１に示した縦長表示状態では、表示部２ａの表示画面に、その長手方向を上下方向として画像が表示される。一方、図３に示した横長表示状態では、表示部２ａの表示画面に、その短手方向を上下方向として画像が表示される。
【００２７】
図４は、携帯電話機１の電気的構成の一例を示したブロック図である。この携帯電話機１は、プロセッサからなる制御部６、並びに、この制御部６によりそれぞれ制御可能な表示部２ａ、操作部４、送話用マイクロホン７、受話用レシーバ８、スピーカ９、セルラー通信部１０、テレビ放送受信部１１、チューナ１２、受信感度検出センサ１３、回転検出センサ１４及びメモリ１５を備えている。操作部４は、ユーザによって操作される操作手段であり、上述の主面キー４ａ及び端面キー４ｂが含まれる。スピーカ９は、受話用レシーバ８よりも音声を増幅して出力する第２音声出力手段である。
【００２８】
セルラー通信部１０は、通信用アンテナ１０ａを介して基地局との間で電波を送受信することにより、通話音の送受信を行う。相手方電話機との間で通信状態が確立された状態では、ユーザの通話音に基づく音声信号がセルラー通信部１０から送信され、相手方電話機からの通話音に基づく音声信号がセルラー通信部１０で受信されることにより、通話音の送受信が行われる。また、セルラー通信部１０は、基地局を介して文字情報を送受信することにより、相手方電話機との間で電子メールの送受信を行うことができる。
【００２９】
テレビ放送受信部１１は、テレビ放送受信用アンテナ１１ａを介して、テレビ局から発信されているテレビ放送波を受信する。テレビ局から発信されているテレビ放送波には、アナログ放送に対応したアナログ放送波と、デジタル放送に対応したデジタル放送波とが含まれている。このテレビ放送受信部１１が受信するデジタル放送波は、一般のデジタルハイビジョン放送波の一定帯域に割り当てられた携帯電話機向けの１セグメント放送波であり、テレビ画像及びテレビ音声に加えて、そのテレビ画像に対応する字幕や関連する記事などの文字情報が含まれている。
【００３０】
チューナ１２は、テレビ放送受信部１１により受信されるテレビ放送波から、指定されたチャンネルのテレビ放送波を抽出するチューニング手段である。すなわち、ユーザによる操作部４の操作等に基づいてチャンネルが指定されると、その指定されたチャンネルのテレビ放送波がチューナ１２により抽出されるようになっている。このようにして抽出されたテレビ放送波に基づいて、表示部２ａにテレビ画像を表示するとともに、そのテレビ画像に対応するテレビ音声をスピーカ９から出力することにより、テレビ放送を視聴することができる。
【００３１】
受信感度検出センサ１３は、チューナ１２により抽出されたテレビ放送波のテレビ放送受信部１１における受信感度を検出する。回転検出センサ１４は、機械的又は電気的なスイッチにより構成され、ユーザによる表示筐体２の回転操作を検出することにより、ユーザに対する表示画面の配置方向を検出する方向検出手段である。メモリ１５には、複数のアプリケーションプログラムが記憶されているアプリケーションプログラム記憶部１６と、これらのアプリケーションプログラムに関するテーブルが記憶されているアプリケーションテーブル記憶部１７と、操作部４の各操作キーの操作に対して制御部６が行う処理の割り当てを記憶するキー割当テーブル記憶部１８とが備えられている。
【００３２】
アプリケーションプログラム記憶部１６には、テレビアプリケーションプログラム１６ａ、メールアプリケーションプログラム１６ｂ、通話アプリケーションプログラム１６ｃ、時計アプリケーションプログラム１６ｄ及びカレンダーアプリケーションプログラム１６ｅなどが記憶されている。テレビアプリケーションプログラム１６ａには、テレビ放送波を受信して表示部２ａにテレビ画像を表示させるとともに、そのテレビ画像に対応するテレビ音声をスピーカ９から出力させるためのプログラムが含まれる。メールアプリケーションプログラム１６ｂには、セルラー通信部１０を介して電子メールを送受信するためのプログラムが含まれる。通話アプリケーションプログラム１６ｃには、セルラー通信部１０を介して通話音を送受信するためのプログラムが含まれる。時計アプリケーションプログラム１６ｄには、計時手段（不図示）により計測されている現在の時刻を表示部２ａに表示させるためのプログラムが含まれる。カレンダーアプリケーションプログラム１６ｅには、暦に従って日付を表示部２ａに表示させるためのプログラムが含まれる。
【００３３】
図５は、表示筐体２を縦長表示状態及び横長表示状態に切り替えたときの表示態様の一例を示した概略図であり、（ａ）は縦長表示状態の携帯電話機１、（ｂ）は横長表示状態の携帯電話機１を示している。図５（ａ）に示した縦長表示状態における表示部２ａの表示画面は、上端部に形成されたピクト表示領域２１と、下端部に形成されたガイド表示領域２２と、それらの間に形成されたアプリケーション表示領域２３とからなる。アプリケーション表示領域２３は、ピクト表示領域２１やガイド表示領域２２と比べて表示面積が大きく形成されている。この例では、縦長表示状態における表示画面の横幅が２４０画素、縦幅が４００画素であり、ピクト表示領域２１及びガイド表示領域２２の縦幅がそれぞれ４０画素、アプリケーション表示領域２３の縦幅が３２０画素である。
【００３４】
ピクト表示領域２１には、セルラー通信部１０における電波の受信感度や、当該携帯電話機１に電力を供給している電池（不図示）の容量などを表す画像が表示される。ガイド表示領域２２には、主面キー４ａに含まれるガイドキー４ｄの各操作キーに対応する配置でガイド表示２２ａが表示される。図５には示していないが、各ガイド表示２２ａには、対応するガイドキー４ｄが選択されるのに基づいて制御部６が行う処理の内容を表す文字が重ねて表示される。したがって、ユーザは、ガイド表示領域２２内のガイド表示２２ａを確認しながらガイドキー４ｄの対応する操作キーを操作することにより、当該操作キーに対応する処理を制御部６に実行させることができる。
【００３５】
アプリケーション表示領域２３には、そのとき起動されているアプリケーションプログラムに基づく画像が表示される。この例では、図５（ａ）の縦長表示状態において、メールアプリケーションプログラム１６ｂが起動され、送信する電子メールの文字情報を入力するための文字入力画面がアプリケーション表示領域２３に表示されている場合を示している。この文字入力画面は、入力された電子メールの文字情報を表示する本文表示領域２３ａと、入力された文字情報を漢字などに変換するための操作に基づいて変換後の文字の候補を表示する変換候補表示領域２３ｂとからなる。入力された文字情報に対する変換後の文字の候補が複数存在する場合には、それらの複数の候補が変換候補表示領域２３ｂ内において表示画面の長手方向に並べて列挙され、ユーザは、主面キー４ａを操作することによりいずれか候補を選択して本文表示領域２３ａに表示させることができる。
【００３６】
本実施の形態では、回転検出センサ１４からの検出信号に基づいて、表示筐体２が縦長表示状態から横長表示状態に回転されたことが検出されると、予め定められたアプリケーションプログラムが起動されるようになっている。図５（ａ）に示すように既にアプリケーションプログラムが起動されている状態で、表示筐体２が縦長表示状態から横長表示状態に回転されると、そのアプリケーションプログラムとは異なるアプリケーションプログラムが起動されるようになっている。
【００３７】
このとき、表示部２ａの表示画面は、図５（ａ）に示した縦長表示状態から図５（ｂ）に示した横長表示状態に回転されるのに連動して、長手方向に並ぶ２つの表示領域２０ａ，２０ｂに分割される。これらの２つの表示領域のうち左側の表示領域２０ａには、縦長表示状態で起動されていたアプリケーションプログラムに基づく画像が引き続き表示され、右側の表示領域２０ｂには、新たに起動されたアプリケーションプログラムに基づく画像が表示される。したがって、横長表示状態では、縦長表示状態のときにアプリケーション表示領域２３に表示されていた画像を左側の表示領域２０ａに引き続き表示しつつ、右側の表示領域２０ｂに新たな表示を行うことができるので、利便性が向上する。
【００３８】
この例では、横長表示状態における左側の表示領域２０ａの横幅が、縦長表示状態におけるアプリケーション表示領域２３の横幅と等しくなるように表示画面が分割されるようになっている。したがって、図５（ａ）及び（ｂ）に示すように、縦長表示状態のときと同じ横幅で、横長表示状態における左側の表示領域２０ａに本文表示領域２３ａ及び変換候補表示領域２３ｂを配置することができる。横長表示状態における左側の表示領域２０ａの縦幅は、縦長表示状態におけるアプリケーション表示領域２３の縦幅よりも短くなるが、その分だけ変換候補表示領域２３ｂの縦幅を小さくして表示内容を減らすことにより、本文表示領域２３ａの縦幅は表示切替の前後で変化しないようになっている。
【００３９】
このように、縦長表示状態から横長表示状態に切り替えられる前後で、同じ横幅の表示領域に引き続き表示を行うことができるので、表示切替の前後で表示画像のレイアウトが大きく変化することに起因して、ユーザにとって表示が見づらくなるのを防止することができる。また、縦長表示状態と横長表示状態とで横幅の異なるレイアウトを用意する必要がないので、製造工程を簡略化することができる。
【００４０】
横長表示状態における右側の表示領域２０ｂは、上端部に形成されたピクト表示領域２４と、下端部に形成されたガイド表示領域２５と、それらの間に形成されたアプリケーション表示領域２６とからなる。縦長表示状態から横長表示状態への切替により新たに起動されたアプリケーションプログラムに基づく画像は、右側の表示領域２０ｂのアプリケーション表示領域２６に表示される。この例では、縦長表示状態から横長表示状態への切替に基づいてテレビアプリケーションプログラム１６ａが起動され、テレビ放送受信部１１で受信したテレビ放送に基づく画像がアプリケーション表示領域２６に表示されている。
【００４１】
ピクト表示領域２４には、縦長表示状態におけるピクト表示領域２１に表示されていた画像が、縮小又は拡大されることなく同じ大きさで表示される。同様に、ガイド表示領域２５にも、縦長表示状態におけるガイド表示領域２２に表示されていたガイド表示２２ａが、縮小又は拡大されることなく同じ大きさで表示される。したがって、ピクト表示領域２１，２４やガイド表示領域２２，２５に表示させる画像として、表示切替の前後で異なる画像を用意する必要がないので、製造工程を簡略化することができる。
【００４２】
また、本実施の形態では、表示筐体２が縦長表示状態から横長表示状態に回転され、２つのアプリケーションプログラムが起動された状態となったときに、主面キー４ａの操作に基づいて制御部６が行う処理と、端面キー４ｂの操作に基づいて制御部６が行う処理とが、各アプリケーションプログラムに対応付けて割り当てられるようになっている。
【００４３】
具体的には、横長表示状態において、主面キー４ａには、メールアプリケーションプログラム１６ｂに基づく画像が表示されている左側の表示領域２０ａに関する処理として、文字情報を入力するための処理や電子メールの送信を指示する処理などが割り当てられる。また、横長表示状態において、端面キー４ｂには、テレビアプリケーションプログラム１６ａに基づく画像が表示されている右側の表示領域２０ｂに関する処理として、チューナ１２が抽出するテレビ放送波のチャンネルを変更する処理やスピーカ９から出力されるテレビ音声の音量を変更する処理などが割り当てられる。主面キー４ａには、縦長表示状態のときからメールアプリケーションプログラム１６ｂに対応する処理が割り当てられており、表示切替の前後で主面キー４ａに対する操作に基づいて制御部６が行う処理は変化しないようになっている。
【００４４】
このような構成によれば、表示部２ａの表示画面を２つの表示領域２０ａ，２０ｂに分割し、各表示領域２０ａ，２０ｂに関する処理を実行させるために操作される操作キーを主面キー４ａと端面キー４ｂとに分けることができる。主面キー４ａは操作筐体５の主面に形成され、端面キー４ｂは操作筐体５の端面に形成されているので、各表示領域２０ａ，２０ｂに関する処理を実行させるためにいずれの操作キー群を操作すればよいかがユーザにとって分かりやすく、操作性が向上する。
【００４５】
また、横長表示状態における２つの表示領域２０ａ，２０ｂが並ぶ方向と、これらの各表示領域２０ａ，２０ｂに関する処理を実行させるために操作される主面キー４ａ及び端面キー４ｂが並ぶ方向とが、いずれも左右方向で一致している。これにより、各表示領域２０ａ，２０ｂに関する処理を実行させるためにいずれの操作キー群を操作すればよいかがユーザにとってさらに分かりやすく、操作性をより向上させることができる。
【００４６】
図５の例では、セルラー通信部１０を介して送信する電子メールの文字情報を含む画像が表示される左側の表示領域２０ａに対して、主面キー４ａが割り当てられる。主面キー４ａが形成されている操作筐体５の主面は、端面と比べて面積が大きいので、より多くの操作キーを配置することが可能である。電子メールの文字情報を入力する際には、多数の操作キーを操作する必要があるため、電子メールの文字情報を含む画像が表示される表示領域２０ａに、より多くの操作キーを配置可能な主面に形成されている主面キー４ａを割り当てることにより、操作性をさらに向上させることができる。
【００４７】
また、図５の例では、テレビ放送受信部１１を介して受信するテレビ放送波に基づく画像が表示される右側の表示領域２０ｂに対して、端面キー４ｂが割り当てられる。テレビ放送波の受信に関する処理を実行させるための操作キーは、電子メールの文字情報を入力するために操作される操作キーよりも少なくすることが可能である。そこで、電子メールの文字情報を含む画像が表示される左側の表示領域２０ａに対して、比較的多くの操作キーを配置可能な操作筐体５の主面に形成された主面キー４ａを割り当て、テレビ放送波に基づく画像が表示される右側の表示領域２０ｂに対して、操作筐体５の端面に形成された端面キー４ｂを割り当てることにより、ユーザにとってより操作しやすいキー配置にすることができる。
【００４８】
図６は、制御部６の一構成例を示した機能ブロック図である。制御部６は、表示筐体２が縦長表示状態から横長表示状態に回転され、回転検出センサ１４から検出信号が入力されるのに基づいて、表示部２ａの表示画面に対する表示を切り替えるとともに、操作部４の各操作キーの操作に対して実行する処理を割り当てる。制御部６は、縦横表示切替部６１、表示領域分割部６２、表示割当部６３、表示データ生成部６４、キー割当部６５及び音声制御部６６によって構成され、ここでは、制御部６により実行されるコンピュータプログラムとして実現されるものとする。
【００４９】
表示データ生成部６４は、そのとき起動されているアプリケーションプログラムに基づいて、表示部２ａの表示画面に表示させる表示データを生成する。この表示データ生成部６４は、テレビアプリケーションプログラム１６ａ、メールアプリケーションプログラム１６ｂ、通話アプリケーションプログラム１６ｃ、時計アプリケーションプログラム１６ｄ、カレンダーアプリケーションプログラム１６ｅなどの各アプリケーションプログラムに基づく表示データをそれぞれ生成する複数の表示データ生成手段として機能する。
【００５０】
縦横表示切替部６１、表示領域分割部６２及び表示割当部６３は、表示データ生成部６４により生成される表示データを表示部２ａの表示画面内に表示させるための表示制御部６０を構成している。縦横表示切替部６１は、回転検出センサ１４からの検出信号に基づいて、表示部２ａの表示画面に対する表示方向を９０°変換することにより、縦長表示状態及び横長表示状態を切り替える。表示領域分割部６２は、横長表示状態の表示画面を図５（ｂ）に示したような左右２つの表示領域２０ａ，２０ｂに分割する。
【００５１】
表示割当部６３は、表示部２ａの表示画面内の表示領域を表示データ生成部６４で生成される表示データに割り当てる。縦長表示状態のときには、そのとき起動されているアプリケーションプログラムに基づいて表示データ生成部６４で生成される表示データに、表示画面内のアプリケーション表示領域２３が割り当てられる。例えば、図５（ａ）の例では、起動中のメールアプリケーションプログラム１６ｂに基づいて生成された表示データにアプリケーション表示領域２３が割り当てられることにより、当該アプリケーション表示領域２３に文字入力画面が表示されている。
【００５２】
縦長表示状態から横長表示状態に切り替えられたときには、既に起動されているアプリケーションプログラムに基づいて生成される表示データ、及び、表示切替により新たに起動されたアプリケーションプログラムに基づいて生成される表示データに、表示領域分割部６２により分割された表示画面内の２つの表示領域２０ａ，２０ｂが割り当てられる。このとき、左側の表示領域２０ａが、縦長表示状態におけるアプリケーション表示領域２３に割り当てられていた表示データに割り当てられ、右側の表示領域２０ｂが、新たに生成される表示データに割り当てられる。例えば、図５（ｂ）の例では、縦長表示状態におけるアプリケーション表示領域２３に割り当てられていた文字入力画面に左側の表示領域２０ａが割り当てられるとともに、新たに起動されたテレビアプリケーションプログラム１６ａに基づくテレビ画像に右側の表示領域２０ｂが割り当てられている。
【００５３】
ここで、縦長表示状態から横長表示状態への切替に基づいて新たに起動されるアプリケーションプログラムと既に起動されているアプリケーションプログラムとの組み合わせによっては、同時に起動状態にすると制御部６の処理負荷が過大になり、表示データ生成部６４を構成している各アプリケーションプログラムに対応する表示データ生成手段が、それらのアプリケーションプログラムに基づいて同時に表示データを生成することができない場合がある。
【００５４】
アプリケーションテーブル記憶部１７には、組み合わせ禁止テーブル１７ａ及び優先順位テーブル１７ｂが記憶されている。組み合わせ禁止テーブル１７ａは、同時に表示データを生成することが禁止される表示データ生成手段の組み合わせとして、各表示データ生成手段に対応するアプリケーションプログラムの組み合わせを保持している。優先順位テーブル１７ｂは、縦長表示状態から横長表示状態への切替に基づいて右側の表示領域２０ｂに割り当てられる表示データ生成手段の優先順位として、各表示データ生成手段に対応するアプリケーションプログラムの優先順位を保持している。
【００５５】
表示割当部６３は、組み合わせ禁止テーブル１７ａに基づいて、横長表示状態における右側の表示領域２０ｂに表示させようとする表示データが、左側の表示領域２０ａに表示させる表示データと同時に生成することが禁止されている場合に、優先順位テーブル１７ｂに保持されている優先順位に基づいて、右側の表示領域２０ｂを別のアプリケーションプログラムに基づく表示データに割り当てる。これにより、決定された別のアプリケーションプログラムに対応する表示データ生成手段によって右側の表示領域２０ｂに対する表示が行われ、右側の表示領域２０ｂに画像が表示されない状態が生じるのを防止できるので、表示部２ａの表示画面に対する表示を良好に行うことができる。
【００５６】
この例では、優先順位テーブル１７ｂには、テレビアプリケーションプログラム１６ａが最優先順位として保持されており、時計アプリケーションプログラム１６ｄが次の優先順位として保持されている。ただし、このような構成に限らず、最優先順位として他のアプリケーションプログラムが保持されていてもよいし、次の優先順位としてカレンダーアプリケーションプログラム１６ｅなどの他のアプリケーションプログラムが保持されていてもよい。
【００５７】
組み合わせ禁止テーブル１７ａには、テレビアプリケーションプログラム１６ａに基づく表示データと同時に表示データを生成することが禁止されるアプリケーションプログラムとして、カメラ（不図示）により撮像を行うためのアプリケーションプログラム、動画や音声を再生するためのアプリケーションプログラムなどが保持されている。これらのアプリケーションプログラムを実行する際には、テレビアプリケーションプログラム１６ａと同様に、「Ｈ．２６４」や「ＭＰＥＧ４」に代表される映像用コーデック又は「ＡＡＣ」や「ＡＭＲ」に代表される音声用コーデックを起動する必要があり、複数のコーデックを同時に起動させなければならないため、制御部６の処理負荷が極めて過大となる。
【００５８】
これに対して、メールアプリケーションプログラム１６ｂや通話アプリケーションプログラム１６ｃなどは、テレビアプリケーションプログラム１６ａに基づく表示データと同時に表示データを生成することが禁止されておらず、組み合わせ禁止テーブル１７ａに保持されていない。したがって、図５（ｂ）に示した例のように、テレビアプリケーションプログラム１６ａに基づく表示データ及びメールアプリケーションプログラム１６ｂに基づく表示データを同時に生成して、横長表示状態における左右２つの表示領域２０ａ，２０ｂにそれぞれ表示させることは可能である。
【００５９】
キー割当部６５は、主面キー４ａ及び端面キー４ｂの操作に対して実行される処理を割り当てる。キー割当テーブル記憶部１８には、主面キー４ａの操作に対して実行される処理が割り当てられる主面キー割当テーブル１８ａと、端面キー４ｂの操作に対して実行される処理が割り当てられる端面キー割当テーブル１８ｂとが記憶されており、キー割当部６５は、回転検出センサ１４からの検出信号に基づいて、これらのテーブル１８ａ，１８ｂに操作部４の各操作キーの操作に対する処理を割り当てる。具体的には、縦長表示状態から横長表示状態へ切り替えられると、横長表示状態における左側の表示領域２０ａに関する処理が主面キー割当テーブル１８ａに割り当てられ、右側の表示領域２０ｂに関する処理が端面キー割当テーブル１８ｂに割り当てられる。
【００６０】
音声制御部６６は、受話用レシーバ８及びスピーカ９のどちらから音声を出力するかを切り替える。縦長表示状態で通話アプリケーションプログラム１６ｃが起動され、受話用レシーバ８から相手方の音声を出力することにより通話が行われているときに、縦長表示状態から横長表示状態に切り替えられると、音声制御部６６は、相手方の音声をスピーカ９から出力するように切り替える。これにより、受話用レシーバ８から出力されていたときよりも音声が増幅されてスピーカ９から出力されるように自動的に切り替わり、ユーザは携帯電話機１から耳を遠ざけて通話を行うことができるようになるので、利便性が向上する。
【００６１】
図７は、表示筐体２が図１の状態から図３の状態に回転されたときの制御部６による処理の一例を示したフローチャートである。回転検出センサ１４からの検出信号に基づいて表示筐体２が回転されたことを検出したときに、既にアプリケーションプログラムが起動されている場合には（ステップＳ１０１でＹｅｓ）、そのアプリケーションプログラムが通話アプリケーションプログラム１６ｃであるか否かが判定される（ステップＳ１０２）。
【００６２】
既に起動されているアプリケーションプログラムが通話アプリケーションプログラム１６ｃである場合には（ステップＳ１０２でＹｅｓ）、音声制御部６６が音声の出力を受話用レシーバ８からスピーカ９に切り替えることにより（ステップＳ１０３）、それまで受話用レシーバ８から出力されていた相手方の音声がスピーカ９から出力されるようになる。
【００６３】
その後、縦横表示切替部６１が表示部２ａの表示画面に対する表示方向を切り替えることにより、縦長表示状態から横長表示状態に切り替えられ（ステップＳ１０４）、表示領域分割部６２により表示画面が左右２つの表示領域２０ａ，２０ｂに分割される（ステップＳ１０５）。そして、優先順位テーブル１７ｂが読み出され（ステップＳ１０６）、最優先順位のアプリケーションプログラムと既に起動されているアプリケーションプログラムとの組み合わせが、組み合わせ禁止テーブル１７ａと比較される（ステップＳ１０７）。
【００６４】
表示割当部６３は、上記比較の結果に基づいて、分割された左右の表示領域２０ａ，２０ｂに対する割当を決定する（ステップＳ１０８）。すなわち、既に起動されているアプリケーションプログラムと最優先順位のアプリケーションプログラムとの組み合わせが、同時に表示データを生成することができる組み合わせであれば、それらのアプリケーションプログラムに基づいて表示データ生成部６４が生成する表示データに左右の表示領域２０ａ，２０ｂを割り当てる。一方、既に起動されているアプリケーションプログラムと最優先順位のアプリケーションプログラムとの組み合わせが、同時に表示データを生成することができない組み合わせであれば、次の優先順位のアプリケーションプログラムに基づいて表示データ生成部６４が生成する表示データに右側の表示領域２０ｂを割り当てる。
【００６５】
このようにして割り当てられた左右の表示領域２０ａ，２０ｂに、対応するアプリケーションプログラムに基づく表示データが表示されることにより、図５（ｂ）に示したように、左右の表示領域２０ａ，２０ｂに異なるアプリケーションプログラムに基づく画像が表示される（ステップＳ１０９）。そして、キー割当部６５が、主面キー４ａ及び端面キー４ｂの操作に対して実行される処理の割当を決定することにより（ステップＳ１１０）、左側の表示領域２０ａに関する処理が主面キー４ａに割り当てられ、右側の表示領域２０ｂに関する処理が端面キー４ｂに割り当てられる。
【００６６】
これに対して、回転検出センサ１４からの検出信号に基づいて表示筐体２が回転されたことを検出したときに、アプリケーションプログラムが起動されていなければ（ステップＳ１０１でＮｏ）、縦横表示切替部６１が表示部２ａの表示画面に対する表示方向を切り替えることにより、縦長表示状態から横長表示状態に切り替えられた後（ステップＳ１１１）、表示画面が分割されることなく優先順位テーブル１７ｂが読み出され（ステップＳ１１２）、最優先順位のアプリケーションプログラムに基づく表示データが横長の表示画面に表示される（ステップＳ１１３）。
【００６７】
図８は、既にアプリケーションプログラムが起動されている状態で表示筐体２が回転された場合における表示部２ａの表示画面の変化を示した図である。図８（ａ）に示すように、縦長表示状態でメールアプリケーションプログラム１６ｂが起動され、表示画面のアプリケーション表示領域２３内に本文表示領域２３ａ及び変換候補表示領域２３ｂが表示された状態から、表示筐体２が回転されて横長表示状態になると、表示画面が左右２つの表示領域２０ａ，２０ｂに分割され、左側の表示領域２０ａに引き続き本文表示領域２３ａ及び変換候補表示領域２３ｂが表示される（図８（ｂ）又は（ｃ））。
【００６８】
このとき、優先順位テーブル１７ｂに保持されている最優先順位のアプリケーションプログラムと既に起動されているアプリケーションプログラムとの組み合わせが、同時に表示データを生成することができる組み合わせであれば、図８（ｂ）に示すように、その最優先順位のアプリケーションプログラムに基づく表示データ（この例では、テレビアプリケーションプログラム１６ａに基づくテレビ画像）が右側の表示領域２０ｂのアプリケーション表示領域２６に表示される。
【００６９】
一方、優先順位テーブル１７ｂに保持されている最優先順位のアプリケーションプログラムと既に起動されているアプリケーションプログラムとの組み合わせが、同時に表示データを生成することができない組み合わせであれば、図８（ｃ）に示すように、次の優先順位のアプリケーションプログラムに基づく表示データ（この例では、時計アプリケーションプログラム１６ｄに基づく現在の時刻）が右側の表示領域２０ｂのアプリケーション表示領域２６に表示される。ただし、優先順位テーブル１７ｂは、最優先順位の次に時計アプリケーションプログラム１６ｄを保持するような構成に限らず、例えばカレンダーアプリケーションプログラム１６ｅのようなコーデックを使用しない他のアプリケーションプログラムを保持するような構成として、このカレンダーアプリケーションプログラム１６ｅに基づいて暦に従った日付が右側の表示領域２０ｂに表示されるようになっていてもよい。
【００７０】
図８（ｂ）に示すように、メールアプリケーションプログラム１６ｂとテレビアプリケーションプログラム１６ａが起動された状態で、表示筐体２が回転されて縦長表示状態に戻った場合には、図８（ｄ）に示すように、再び図８（ａ）と同様の表示態様となる。このとき、テレビアプリケーションプログラム１６ａは起動された状態のまま保持され、いわゆるマルチタスク状態となるが、テレビ画像は表示画面に表示されない。
【００７１】
この状態で、操作部４が操作されることによりアプリケーションプログラムが切り替えられると、図８（ｅ）に示すように、縦長表示状態の表示画面にテレビアプリケーションプログラム１６ａに基づくテレビ画像が表示される。このとき、受信しているテレビ放送波がデジタル放送波であれば、表示画面のアプリケーション表示領域２３は、長手方向に並ぶテレビ画像表示領域２７及びデータ放送表示領域２８に分割され、テレビ画像表示領域２７にテレビ画像が表示される。データ放送表示領域２８は、デジタル放送波に含まれるテレビ画像以外の文字情報を表示するための表示領域であり、その一部には字幕を表示するための字幕表示領域２８ａが含まれる。
【００７２】
この図８（ｅ）に示した縦長表示状態から、表示筐体２が再度回転されて横長表示状態とされた場合には、図８（ｆ）に示すように、横長の表示画面全体にテレビ画像が表示される。また、図８（ｂ）に示した横長表示状態で、操作部４が操作されることによりアプリケーションプログラムが切り替えられた場合にも、図８（ｆ）に示すように、横長の表示画面全体にテレビ画像が表示される。
【００７３】
図９は、表示筐体２を縦長表示状態及び横長表示状態に切り替えたときの表示部２ａの表示態様の他の例を示した概略図であり、（ａ）は縦長表示状態の表示画面、（ｂ）は横長表示状態の表示画面を示している。図９（ａ）に示した縦長表示状態における表示部２ａの表示画面は、図５（ａ）に示した表示画面と同一であり、ピクト表示領域２１、ガイド表示領域２２及びアプリケーション表示領域２３からなる。各表示領域２１〜２３のサイズは図５において説明した通りであり、アプリケーション表示領域２３は、縦幅ｗ１が３２０画素、横幅ｗ２が２４０画素で形成された縦横比３／４の表示領域である。
【００７４】
図９（ａ）の縦長表示状態から表示筐体２が回転されて横長表示状態になると、図９（ｂ）に示すように、表示画面が左右２つの表示領域２０ａ，２０ｂに分割される。そして、既に起動されているメールアプリケーションプログラム１６ｂに基づく文字入力画面が左側の表示領域２０ａに引き続き表示され、新たに起動されたテレビアプリケーションプログラム１６ａに基づくテレビ画像が右側の表示領域２０ｂに表示される。
【００７５】
この左側の表示領域２０ａは、縦幅ｗ３が縦長表示状態におけるアプリケーション表示領域２３の横幅ｗ２と同じ２４０画素、横幅ｗ４が１８０画素で形成された縦横比３／４の表示領域となっている。すなわち、横長表示状態における左側の表示領域２０ａの縦横比は、縦長表示状態におけるアプリケーション表示領域２３の縦横比と等しくなっており、アプリケーション表示領域２３に表示されていた画像が、縦横同じ比率で縮小されて左側の表示領域２０ａに表示されるようになっている。
【００７６】
この例では、縦長表示状態から横長表示状態に切り替えられる際、縦長表示状態におけるアプリケーション表示領域２３に表示されていた画像を同じ縦横比で縮小して、横長表示状態における左側の表示領域２０ａに表示できる範囲で最大限に大きく表示させることができる。これにより、図９（ｂ）に示すように、変換候補表示領域２３ｂの表示内容を減らすことなく縦長表示状態のときと表示内容の範囲を同じにすることができるので、表示切替の前後で表示されている内容の範囲が変化することに起因して、ユーザにとって表示が見づらくなるのを防止することができる。
【００７７】
横長表示状態における右側の表示領域２０ｂは、図５の例と同様にピクト表示領域２４、ガイド表示領域２５及びアプリケーション表示領域２６からなり、縦長表示状態から横長表示状態への切替により新たに起動されたテレビアプリケーションプログラム１６ａに基づくテレビ画像が、アプリケーション表示領域２６に表示される。また、ピクト表示領域２４及びガイド表示領域２５には、縦長表示状態におけるピクト表示領域２１及びガイド表示領域２２にそれぞれ表示されていた画像が、縮小又は拡大されることなく同じ大きさで表示されるようになっている。
【００７８】
図１０は、既にアプリケーションプログラムが起動されている状態で基地局から呼出信号を受信した場合のユーザ操作に対する表示部２ａの表示画面の変化を示した図である。図１０（ａ）に示すように、縦長表示状態でテレビアプリケーションプログラム１６ａが起動され、表示画面のアプリケーション表示領域２３内にテレビ画像表示領域２７及びデータ放送表示領域２８が表示された状態で、基地局から呼出信号を受信すると、その旨をユーザに報知するための着信処理が行われる。この着信処理は、呼出音又は振動などが発生されるとともに、図１０（ｂ）に示すように、表示部２ａの表示画面に着信中である旨や相手方の名前及び電話番号などが表示されることにより行われる。
【００７９】
着信処理中にユーザが操作部４を操作することにより、呼出に対する応答操作を行うと、通信状態が確立されて通話アプリケーションプログラム１６ｃが起動されることにより通話音の送受信が可能になり、図１０（ｃ）に示すように、相手方の名前及び電話番号とともに通話時間が表示部２ａの表示画面に表示される。このとき、相手方の音声は受話用レシーバ８から出力される。このように通信状態が確立された状態で表示筐体２が回転されて横長表示状態になると、相手方の音声の出力が受話用レシーバ８からスピーカ９に切り替わるとともに、図１０（ｆ）に示すように表示画面が左右２つの表示領域２０ａ，２０ｂに分割され、左側の表示領域２０ａに引き続き相手方の名前及び電話番号や通話時間が表示される。
【００８０】
横長表示状態における左側の表示領域２０ａは、図５（ｂ）の例と同様に縦長表示状態におけるアプリケーション表示領域２３と同じ横幅であってもよいし、図９（ｂ）の例と同様に縦長表示状態におけるアプリケーション表示領域２３と同じ縦横比になっていてもよい。横長表示状態における右側の表示領域２０ｂには、既に起動されているテレビアプリケーションプログラム１６ａに基づくテレビ画像が表示される。この右側の表示領域２０ｂの表示態様は、図５（ｂ）又は図９（ｂ）に示した表示態様と同様であるので、図に同一符号を付してその説明を省略する。
【００８１】
一方、図１０（ｄ）に示すように、横長表示状態でテレビアプリケーションプログラム１６ａが起動され、横長の表示画面全体にテレビ画像が表示された状態で、基地局から呼出信号を受信すると、呼出音又は振動などが発生されるとともに、図１０（ｅ）に示すように表示画面が左右２つの表示領域２０ａ，２０ｂに分割され、左側の表示領域２０ａに着信中である旨や相手方の名前及び電話番号などが表示されることにより着信処理が行われる。このとき、右側の表示領域２０ｂには、テレビアプリケーションプログラム１６ａに基づくテレビ画像が表示される。この右側の表示領域２０ｂの表示態様は、図５（ｂ）又は図９（ｂ）に示した表示態様と同様であるので、図に同一符号を付してその説明を省略する。
【００８２】
図１０（ｅ）に示した横長表示状態における着信処理中に、ユーザが操作部４を操作することにより、呼出に対する応答操作を行うと、通信状態が確立されて通話アプリケーションプログラム１６ｃが起動されることにより通話音の送受信が可能になり、図１０（ｆ）に示すように、相手方の名前及び電話番号とともに通話時間が左側の表示領域２０ａに表示される。このとき、相手方の音声はスピーカ９から出力される。
【００８３】
図１０（ｆ）のように横長表示状態で通信状態が確立されているときに、表示筐体２が回転されて縦長表示状態になった場合には、相手方の音声がスピーカ９から出力される状態のまま、図１０（ｃ）に示すように、相手方の名前、電話番号及び通話時間が縦長表示状態の表示画面に表示される。
【００８４】
実施の形態２．
実施の形態１では、縦長表示状態から横長表示状態に切り替えられ、表示画面が左右２つの表示領域２０ａ，２０ｂに分割されたときに、組み合わせ禁止テーブル１７ａと優先順位テーブル１７ｂとに基づいて、既に起動されているアプリケーションプログラムと最優先順位のアプリケーションプログラムとの組み合わせが、同時に表示データを生成することができない組み合わせであれば、次の優先順位のアプリケーションプログラムに基づいて生成される表示データに右側の表示領域２０ｂを割り当てるような構成について説明した。これに対して、実施の形態２では、受信感度検出センサ１３からの検出信号と優先順位テーブル１７ｂとに基づいて、右側の表示領域２０ｂに割り当てる表示データを決定するようになっている点が異なる。
【００８５】
図１１は、本発明の実施の形態２による携帯電話機１の制御部６の一構成例を示した機能ブロック図である。制御部６の構成は、図６において説明した実施の形態１の場合と同様であり、表示割当部６３が行う処理のみが異なるので、同様の構成については図に同一符号を付して説明を省略する。
【００８６】
本実施の形態における優先順位テーブル１７ｂには、実施の形態１の場合と同様に、テレビアプリケーションプログラム１６ａが最優先順位として保持されており、時計アプリケーションプログラム１６ｄが次の優先順位として保持されている。したがって、メールアプリケーションプログラム１６ｂなどが既に起動された状態で、表示筐体２が回転されて縦長表示状態から横長表示状態に切り替えられた場合には、テレビアプリケーションプログラム１６ａが新たに起動される。
【００８７】
このとき、テレビ放送受信部１１におけるテレビ放送波の受信感度が悪ければ、テレビアプリケーションプログラム１６ａを新たに起動させてもテレビ画像が良好に表示されない場合がある。そこで、本実施の形態では、表示割当部６３が、受信感度検出センサ１３からの検出信号に基づいて、横長表示状態における右側の表示領域２０ｂに対する表示データの割当を行うようになっている。すなわち、チューナ１２により抽出されたチャンネルのテレビ放送波の受信感度が所定の閾値以上である場合には、横長表示状態における右側の表示領域２０ｂをテレビアプリケーションプログラム１６ａに基づくテレビ画像に割り当て、受信感度が上記閾値未満であれば、次の優先順位のアプリケーションプログラムに基づく表示データに割り当てるようになっている。
【００８８】
したがって、テレビ放送波を良好に受信することができない場合には、優先順位テーブル１７ｂに保持されている優先順位に基づいて、横長表示状態における右側の表示領域２０ｂに対してテレビ放送波に基づくテレビ画像とは異なる表示を行うことができる。これにより、横長表示状態における右側の表示領域２０ｂにテレビ放送波に基づくテレビ画像が良好に表示されない状態が生じるのを防止できるので、表示部２ａの表示画面に対する表示を良好に行うことができる。
【００８９】
テレビアプリケーションプログラム１６ａの起動中にチューナ１２が抽出したテレビ放送波のチャンネルは、メモリ１５に記憶されるようになっており、その後にテレビアプリケーションプログラム１６ａの実行が停止された場合でも、そのままチャンネルがメモリ１５に保持されるようになっている。したがって、テレビアプリケーションプログラム１６ａが起動されたときには、前回の起動時にチューナ１２が抽出していたチャンネルがメモリ１５から読み出され、そのチャンネルのテレビ放送波に基づくテレビ画像が表示部２ａの表示画面に表示されるようになっている。
【００９０】
本実施の形態では、表示筐体２が回転されることにより縦長表示状態から横長表示状態に切り替えられ、テレビアプリケーションプログラム１６ａが新たに起動された場合に、前回の起動時にチューナ１２が抽出していたチャンネルをメモリ１５から読み出し、そのチャンネルのテレビ放送波の受信感度が上記閾値以上であれば、横長表示状態における右側の表示領域２０ｂにテレビアプリケーションプログラム１６ａに基づくテレビ画像が表示されるようになっている。一方、メモリ１５から読み出されたチャンネルのテレビ放送波の受信感度が上記閾値未満であれば、次の優先順位のアプリケーションプログラム、例えば時計アプリケーションプログラム１６ｄ又はカレンダーアプリケーションプログラム１６ｅに基づく画像が右側の表示領域２０ｂに表示される。
【００９１】
ただし、上記のような構成に限らず、受信感度が上記閾値以上のテレビ放送波が抽出されるまで、チューナ１２に対して予め定められた順序に従いチャンネルを順次に指定することにより、いわゆるチャンネルサーチを行うことができるようになっていてもよい。この場合、受信感度が上記閾値以上のテレビ放送波を抽出することができれば、そのテレビ放送波に基づくテレビ画像を横長表示状態における右側の表示領域２０ｂに表示させ、いずれのチャンネルのテレビ放送波も受信感度が上記閾値未満である場合に、次の優先順位のアプリケーションプログラムに基づく画像を右側の表示領域２０ｂに表示させるようになっていてもよい。
【００９２】
図１２は、実施の形態２の携帯電話機１において表示筐体２が回転されたときの制御部６による処理の一例を示したフローチャートである。回転検出センサ１４からの検出信号に基づいて表示筐体２が回転されたことを検出したときに、既にアプリケーションプログラムが起動されている場合には（ステップＳ２０１でＹｅｓ）、そのアプリケーションプログラムが通話アプリケーションプログラム１６ｃであるか否かが判定される（ステップＳ２０２）。
【００９３】
既に起動されているアプリケーションプログラムが通話アプリケーションプログラム１６ｃである場合の処理（ステップＳ２０２〜Ｓ２０３）、並びに、その後に表示画面に対する表示方向の切替及び表示画面の分割を行う処理（ステップＳ２０４〜Ｓ２０５）は、実施の形態１の場合と同様であるので説明を省略する。また、縦長表示状態のときにアプリケーションプログラムが起動されていない場合の処理（ステップＳ２１１〜Ｓ２１３）も、実施の形態１の場合と同様であるので説明を省略する。
【００９４】
表示画面が左右２つの表示領域２０ａ，２０ｂに分割されると、優先順位テーブル１７ｂが読み出され（ステップＳ２０６）、最優先順位のテレビアプリケーションプログラム１６ａが起動される。そして、受信感度検出センサ１３を用いてテレビ放送波の受信感度を検出し（ステップＳ２０７）、その検出結果に基づいて左右の表示領域２０ａ，２０ｂに対する割当を決定する（ステップＳ２０８）。このとき、チューナ１２により抽出されたチャンネルのテレビ放送波の受信感度が上記閾値以上であれば、テレビアプリケーションプログラム１６ａに基づくテレビ画像を右側の表示領域２０ｂに表示させ、受信感度が上記閾値未満であれば、次の優先順位のアプリケーションプログラムに基づく画像を右側の表示領域２０ｂに表示させる（ステップＳ２０９）。
【００９５】
その後、キー割当部６５が、主面キー４ａ及び端面キー４ｂの操作に対して実行される処理の割当を決定することにより（ステップＳ２１０）、左側の表示領域２０ａに関する処理が主面キー４ａに割り当てられ、右側の表示領域２０ｂに関する処理が端面キー４ｂに割り当てられる。
【００９６】
以上の実施の形態では、既にアプリケーションプログラムが起動された状態で表示筐体２が回転され、縦長表示状態から横長表示状態に切り替えられたときに、表示画面が左右２つの表示領域２０ａ，２０ｂに分割されるような構成について説明した。しかし、このような構成に限らず、表示画面が長手方向に並ぶ３以上の表示領域に分割されるようになっていてもよい。
【００９７】
図１３は、表示筐体２が縦長表示状態から横長表示状態に切り替えられたときに表示画面が３つの表示領域２０ｃ，２０ｄ，２０ｅに分割される場合について示した概略図である。この例では、既にアプリケーションプログラムが起動された状態で表示筐体２が回転され、縦長表示状態から横長表示状態に切り替えられると、表示画面が長手方向に並ぶ左側の表示領域２０ｃ、中央の表示領域２０ｄ及び右側の表示領域２０ｅに分割される。
【００９８】
このとき、新たに２つのアプリケーションプログラムが起動されるようになっており、それらのアプリケーションプログラムに基づく画像が左右２つの表示領域２０ｃ，２０ｅに表示されるようになっている。一方、既に起動されていたアプリケーションプログラムに基づく画像は、中央の表示領域２０ｄに表示される。この場合、中央の表示領域２０ｄは、左側の表示領域２０ｃや右側の表示領域２０ｅと比べて、表示面積が大きいことが好ましい。
【００９９】
この例では、操作筐体５の主面に複数の操作キーからなる主面キー４ａが形成され、左右の端面にそれぞれ複数の操作キーからなる左端面キー４ｅ及び右端面キー４ｂが形成されている。このような構成において、左側の表示領域２０ｃに関する処理を左端面キー４ｅに割り当て、中央の表示領域２０ｄに関する処理を主面キー４ａに割り当て、右側の表示領域２０ｅに関する処理を右端面キー４ｂに割り当てれば、３つの表示領域２０ｃ〜２０ｅが並ぶ方向と、これらの各表示領域２０ｃ〜２０ｅに関する処理を実行させるために操作される左端面キー４ｅ、主面キー４ａ及び右端面キー４ｂが並ぶ方向とを一致させることができる。これにより、各表示領域２０ｃ〜２０ｅに関する処理を実行させるためにいずれの操作キー群を操作すればよいかがユーザにとってさらに分かりやすく、操作性をより向上させることができる。
【０１００】
また、上記実施の形態では、表示筐体２が表示画面に水平な面内で回転することにより縦長表示状態及び横長表示状態が切り替わるような構成について説明したが、このような構成に限らず、他の態様によって縦長表示状態及び横長表示状態が切り替わるような構成であってもよい。
【０１０１】
図１４は、操作筐体５に対して表示筐体２が回転する他の携帯電話機１００の例を示した外観図であり、（ａ）は筐体を展開した状態、（ｂ）は筐体を閉じた状態を示している。この例の携帯電話機１００は、上記実施の形態の携帯電話機１と同様に、表示筐体１０２に表示部１０２ａ及び受話用レシーバ１０８を備え、操作筐体１０５に操作部１０４及び送話用マイクロホン１０７を備えている。また、操作筐体１０５の主面には複数の操作キーからなる主面キー１０４ａが形成され、操作筐体１０５の右端面には複数の操作キーからなる端面キー１０４ｂが形成されている。
【０１０２】
この携帯電話機１００において、表示筐体１０２は長方形に形成され、その長手方向の一端部がヒンジ部１０３を介して操作筐体１０５に保持されている。このヒンジ部１０３の構成は、上記実施の形態の携帯電話機１とは異なり、表示筐体１０２の短手方向に延びる軸線Ｘ１及び表示筐体１０２の長手方向に延びる軸線Ｘ２をそれぞれ中心にして、表示筐体１０２が操作筐体１０５に対して回転可能に保持されている。
【０１０３】
図１５は、図１４（ａ）の状態から表示筐体１０２が軸線Ｘ１及び軸線Ｘ２を中心に回転された状態を示した斜視図である。また、図１６は、図１４（ａ）の状態から表示筐体１０２が軸線Ｘ２を中心に１８０°回転された後、軸線Ｘ１を中心に回転されて閉じられた状態を示した図である。これらの図に示すように、この携帯電話機１００では、図１４（ｂ）のように表示部１０２ａの表示画面が操作筐体１０５に対向した状態で表示筐体１０２を折り畳むこともできるし、図１５に示した態様で表示筐体１０２を軸線Ｘ１及び軸線Ｘ２を中心に回転させることにより、図１６のように表示部１０２ａの表示画面が形成されている面とは反対側の面が操作筐体１０５に対向した状態で表示筐体１０２を折り畳むこともできる。
【０１０４】
このような構成を有する携帯電話機１００では、図１４（ａ）に示した状態が、表示部１０２ａの表示画面に対して長手方向を上下方向として表示する縦長表示状態となり、図１６に示した状態が、表示部１０２ａの表示画面に対して短手方向を上下方向として表示する横長表示状態となる。本発明は、このような構成の携帯電話機１００にも適用可能であり、上記実施の形態と同様の作用効果を奏することができる。
【０１０５】
以上の実施の形態では、機械的又は電気的なスイッチからなる回転検出センサ１４を用いて、ユーザによる表示筐体２の回転操作を検出するような構成について説明したが、このような構成に限らず、例えば地磁気を検出する地磁気センサなどの方向検出手段を用いて、ユーザに対する表示画面の配置方向を検出するような構成であってもよい。
【０１０６】
また、表示部２ａ，１０２ａの表示画面に形成された複数の表示領域に関する処理を操作筐体５，１０５の異なる面に形成された操作キー群に割り当てる構成に関する発明は、操作筐体５，１０５に対して表示筐体２，１０２が回転可能な携帯電話機１，１００に限らず、表示筐体が操作筐体に対して固定された携帯電話機や、表示部及び操作部が１つの筐体に一体的に形成された携帯電話機にも適用可能である。
【図面の簡単な説明】
【０１０７】
【図１】本発明の実施の形態１による携帯電話機の一例を示した斜視図であり、筐体を展開した状態を示している。
【図２】図１の携帯電話機の表示筐体を回転させた状態を示した斜視図であり、正面から見て図１の状態から時計回りに約４５°回転させた状態を示している。
【図３】図１の携帯電話機の表示筐体を回転させた状態を示した斜視図であり、正面から見て図１の状態から時計回りに９０°回転させた状態を示している。
【図４】携帯電話機の電気的構成の一例を示したブロック図である。
【図５】表示筐体を縦長表示状態及び横長表示状態に切り替えたときの表示態様の一例を示した概略図であり、（ａ）は縦長表示状態の携帯電話機、（ｂ）は横長表示状態の携帯電話機を示している。
【図６】制御部の一構成例を示した機能ブロック図である。
【図７】表示筐体が図１の状態から図３の状態に回転されたときの制御部による処理の一例を示したフローチャートである。
【図８】既にアプリケーションプログラムが起動されている状態で表示筐体が回転された場合における表示部の表示画面の変化を示した図である。
【図９】表示筐体を縦長表示状態及び横長表示状態に切り替えたときの表示部の表示態様の他の例を示した概略図であり、（ａ）は縦長表示状態の表示画面、（ｂ）は横長表示状態の表示画面を示している。
【図１０】既にアプリケーションプログラムが起動されている状態で基地局から呼出信号を受信した場合のユーザ操作に対する表示部の表示画面の変化を示した図である。
【図１１】本発明の実施の形態２による携帯電話機の制御部の一構成例を示した機能ブロック図である。
【図１２】実施の形態２の携帯電話機において表示筐体が回転されたときの制御部による処理の一例を示したフローチャートである。
【図１３】表示筐体が縦長表示状態から横長表示状態に切り替えられたときに表示画面が３つの表示領域に分割される場合について示した概略図である。
【図１４】操作筐体に対して表示筐体が回転する他の携帯電話機の例を示した外観図であり、（ａ）は筐体を展開した状態、（ｂ）は筐体を閉じた状態を示している。
【図１５】図１４（ａ）の状態から表示筐体が軸線Ｘ１及び軸線Ｘ２を中心に回転された状態を示した斜視図である。
【図１６】図１４（ａ）の状態から表示筐体が軸線Ｘ２を中心に１８０°回転された後、軸線Ｘ１を中心に回転されて閉じられた状態を示した図である。
【符号の説明】
【０１０８】
１，１００  携帯電話機
２，１０２  表示筐体
２ａ，１０２ａ  表示部
３，１０３  ヒンジ部
４，１０４  操作筐体
４ａ，１０４ａ  主面キー
４ｂ，１０４ｂ  右端面キー
４ｅ  左端面キー
５，１０５  操作筐体
６  制御部
８，１０８  受話用レシーバ
９  スピーカ
１１  テレビ放送受信部
１３  受信感度検出センサ
１４  回転検出センサ
１６  アプリケーションプログラム記憶部
１７  アプリケーションテーブル記憶部
１７ａ  組み合わせ禁止テーブル
１７ｂ  優先順位テーブル
１８  キー割当テーブル記憶部
１８ａ  主面キー割当テーブル
１８ｂ  端面キー割当テーブル
２０ａ〜２０ｅ  表示領域
６０  表示制御部
６１  縦横表示切替部
６２  表示領域分割部
６３  表示割当部
６４  表示データ生成部
６５  キー割当部
６６  音声制御部
【図１】
2008017373.tif 000003
【図２】
2008017373.tif 000004
【図３】
2008017373.tif 000005
【図４】
2008017373.tif 000006
【図５】
2008017373.tif 000007
【図６】
2008017373.tif 000008
【図７】
2008017373.tif 000009
【図８】
2008017373.tif 000010
【図９】
2008017373.tif 000011
【図１０】
2008017373.tif 000012
【図１１】
2008017373.tif 000013
【図１２】
2008017373.tif 000014
【図１３】
2008017373.tif 000015
【図１４】
2008017373.tif 000016
【図１５】
2008017373.tif 000017
【図１６】
2008017373.tif 000018